(57)【要約】【課題】  場所を移動しても放送局からの放送の周波数に受信周波数を同調させる操作が不要になるとともに、放送局の選択からその放送局からの放送受信開始までの時間を短縮することができる移動体通信端末を提供する。【解決手段】  移動体通信端末２０の現在位置の情報に基づいて、当該移動体通信端末が位置する地域において受信可能な放送局のチャネル情報を取得し、この取得した放送局のチャネル情報をプリセットする。このように移動体通信端末の場所が移動しても、その移動体通信端末が位置する地域において受信可能な放送局のチャネル情報が記憶部に予め設定される。この記憶部に予め設定されているチャネル情報に基づき、利用者が選択した放送の受信を開始することできる。【選択図】  図６
2007318365.tif 000002
【特許請求の範囲】
【請求項１】
通信ネットワークを介して通信を行う通信手段と、放送局からの放送を受信する放送受信手段と、該放送受信手段で受信した放送の内容を出力する放送内容出力手段とを備えた移動体通信端末において、
前記放送受信手段が放送受信時に使用するチャネル情報を予め記憶するチャネル情報記憶手段と、
当該移動体通信端末の現在位置の情報を取得する位置情報取得手段と、
前記取得した現在位置の情報に基づいて、当該移動体通信端末が位置する地域において受信可能な放送局のチャネル情報を取得するチャネル情報取得手段と、
前記取得した放送局のチャネル情報を前記チャネル情報記憶手段に保存して設定するチャネル情報設定手段と、
を備え、
前記放送受信手段は、前記受信チャネル情報記憶手段に記憶されているチャネル情報に基づいて放送を受信することを特徴とする移動体通信端末。
【請求項２】
請求項１の移動体通信端末において、
複数の地域の位置情報と各地域で受信可能な放送局のチャネル情報とを対応付けて記憶したデータベースを備え、
前記チャネル情報取得手段は、前記取得した現在位置の情報に基づいて前記データベースを検索し、当該移動体通信端末が位置する地域において受信可能な放送局のチャネル情報を取得することを特徴とする移動体通信端末。
【請求項３】
請求項１の移動体通信端末において、
前記チャネル情報取得手段は、複数の地域の位置情報と各地域で受信可能な放送局のチャネル情報とを対応付けて記憶したデータベースを備えたサーバにアクセスし、前記取得した現在位置の情報を前記サーバに送信し、当該移動体通信端末が位置する地域において受信可能な放送局のチャネル情報を前記サーバから取得することを特徴とする移動体通信端末。
【請求項４】
請求項１、２又は３の移動体通信端末において、
前記位置情報取得手段を複数種類備えるとともに、
当該移動体通信端末が位置する場所に応じて前記複数種類の位置情報取得手段から選択した一又は二以上の位置情報取得手段を用いて前記現在位置を取得することを特徴とする移動体通信端末。
【請求項５】
請求項１乃至４のいずれかの移動体通信端末において、
前記チャネル情報設定手段は、前記チャネル情報記憶手段に設定されている設定済みのチャネル情報と、前記チャネル情報取得手段で新規取得したチャネル情報とが異なる場合に、前記設定済みのチャネル情報を前記新規取得のチャネル情報で更新することを特徴とする移動体通信端末。
【請求項６】
請求項５の移動体通信端末において、
前記チャネル情報設定手段は、前記設定済みのチャネル情報に基づいて受信される放送と同じ内容を放送する系列局のチャネル情報を設定することを特徴とする移動体通信端末。
【請求項７】
請求項５の移動体通信端末において、
放送の受信と該放送の内容の出力及び保存の少なくとも一方とが予約された放送局のチャネル情報を含む予約情報を記憶する予約情報記憶手段と、
前記予約済みの放送局のチャネル情報を前記系列局のチャネル情報で更新する予約情報更新手段と、を備えたことを特徴とする移動体通信端末。
【請求項８】
請求項７の移動体通信端末において、
前記予約済みの放送局に対応する前記系列局がない場合、前記系列局からの前記予約の放送がない場合、又は前記系列局からの前記予約の放送の時間が変更になる場合に、その旨を利用者に知らせるための警告を出力する警告出力手段を備えたことを特徴とする移動体通信端末。
【請求項９】
請求項７の移動体通信端末において、
前記予約情報更新手段は、前記系列局からの前記予約の放送の情報をサーバから取得し、そのサーバから取得した情報に基づいて前記予約情報を更新することを特徴とする移動体通信端末。
【請求項１０】
請求項１乃至４のいずれかの移動体通信端末において、
前記チャネル情報設定手段は、同じ放送局からの放送についてアナログ放送とデジタル放送とが存在する場合は、前記デジタル放送のチャネル情報を優先的に設定することを特徴とする移動体通信端末。
【請求項１１】
請求項１乃至４のいずれかの移動体通信端末において、
前記チャネル情報設定手段は、前記現在位置情報に基づいて、受信中の放送局のアナログ放送と同じ内容のデジタル放送が行われている地域に移動したと判断した場合に、該アナログ放送のチャネル情報を該デジタル放送のチャネル情報で更新し、
前記放送受信手段は、前記放送局からの放送として、前記アナログ放送の受信を停止し、前記更新後のチャネル情報に基づいて前記デジタル放送を受信することを特徴とする移動体通信端末。
【請求項１２】
請求項１乃至４のいずれかの移動体通信端末において、
前記チャネル情報設定手段は、前記現在位置情報に基づいて、受信中の放送局のデジタル放送のサービスエリア外に移動したと判断した場合に、該デジタル放送のチャネル情報を該アナログ放送のチャネル情報で更新し、
前記放送受信手段は、前記放送局からの放送として、前記デジタル放送の受信を停止し、前記更新後のチャネル情報に基づいて前記アナログ放送を受信することを特徴とする移動体通信端末。
【発明の詳細な説明】
【技術分野】
【０００１】
本発明は、ラジオやテレビ等の放送局からの放送を受信可能な携帯電話機等の移動体通信端末に関するものである。
【背景技術】
【０００２】
従来、この種の移動体通信端末として、受信する放送局を利用者が選択すると、携帯電話基地局からの位置情報と選択された放送局とによって、放送局周波数を周波数記憶手段から検索する携帯電話装置が知られている（特許文献１参照）。この携帯電話機では、利用者が放送局を選択したときに、携帯電話基地局からの位置情報によって同調させる周波数を検索するので、場所を移動しても、利用者が選択した放送局からの放送の周波数に受信周波数を同調させる操作が不要になる。
【０００３】
【特許文献１】特開平８−１６２９０９号公報
【発明の開示】
【発明が解決しようとする課題】
【０００４】
しかしながら、上記特許文献２に記載の携帯電話装置では、利用者が放送局を選択するたびに、携帯電話基地局からの位置情報によって同調させる周波数を検索するので、その周波数検索の処理時間だけ、放送局の選択からその放送局からの放送受信開始まで時間を要し、放送受信を素早く開始することができないという問題点があった。
【０００５】
本発明は、上記問題に鑑みなされたものであり、その目的とするところは、場所を移動しても放送局からの放送の周波数に受信周波数を同調させる操作が不要になるとともに、放送局の選択からその放送局からの放送受信開始までの時間を短縮することができる移動体通信端末を提供することである。
【課題を解決するための手段】
【０００６】
上記目的を達成するために、請求項１の発明は、通信ネットワークを介して通信を行う通信手段と、放送局からの放送を受信する放送受信手段と、該放送受信手段で受信した放送の内容を出力する放送内容出力手段とを備えた移動体通信端末において、前記放送受信手段が放送受信時に使用するチャネル情報を予め記憶するチャネル情報記憶手段と、当該移動体通信端末の現在位置の情報を取得する位置情報取得手段と、前記取得した現在位置の情報に基づいて、当該移動体通信端末が位置する地域において受信可能な放送局のチャネル情報を取得するチャネル情報取得手段と、前記取得した放送局のチャネル情報を前記チャネル情報記憶手段に保存して設定するチャネル情報設定手段と、を備え、前記放送受信手段は、前記受信チャネル情報記憶手段に記憶されているチャネル情報に基づいて放送を受信することを特徴とするものである。
また、請求項２の発明は、請求項１の移動体通信端末において、複数の地域の位置情報と各地域で受信可能な放送局のチャネル情報とを対応付けて記憶したデータベースを備え、前記チャネル情報取得手段は、前記取得した現在位置の情報に基づいて前記データベースを検索し、当該移動体通信端末が位置する地域において受信可能な放送局のチャネル情報を取得することを特徴とするものである。
また、請求項３の発明は、請求項１の移動体通信端末において、前記チャネル情報取得手段は、複数の地域の位置情報と各地域で受信可能な放送局のチャネル情報とを対応付けて記憶したデータベースを備えたサーバにアクセスし、前記取得した現在位置の情報を前記サーバに送信し、当該移動体通信端末が位置する地域において受信可能な放送局のチャネル情報を前記サーバから取得することを特徴とするものである。
また、請求項４の発明は、請求項１、２又は３の移動体通信端末において、前記位置情報取得手段を複数種類備えるとともに、当該移動体通信端末が位置する場所に応じて前記複数種類の位置情報取得手段から選択した一又は二以上の位置情報取得手段を用いて前記現在位置を取得することを特徴とするものである。
また、請求項５の発明は、請求項１乃至４のいずれかの移動体通信端末において、前記チャネル情報設定手段は、前記チャネル情報記憶手段に設定されている設定済みのチャネル情報と、前記チャネル情報取得手段で新規取得したチャネル情報とが異なる場合に、前記設定済みのチャネル情報を前記新規取得のチャネル情報で更新することを特徴とするものである。
また、請求項６の発明は、請求項５の移動体通信端末において、前記チャネル情報設定手段は、前記設定済みのチャネル情報に基づいて受信される放送と同じ内容を放送する系列局のチャネル情報を設定することを特徴とするものである。
また、請求項７の発明は、請求項５の移動体通信端末において、放送の受信と該放送の内容の出力及び保存の少なくとも一方とが予約された放送局のチャネル情報を含む予約情報を記憶する予約情報記憶手段と、前記予約済みの放送局のチャネル情報を前記系列局のチャネル情報で更新する予約情報更新手段と、を備えたことを特徴とするものである。
また、請求項８の発明は、請求項７の移動体通信端末において、前記予約済みの放送局に対応する前記系列局がない場合、前記系列局からの前記予約の放送がない場合、又は前記系列局からの前記予約の放送の時間が変更になる場合に、その旨を利用者に知らせるための警告を出力する警告出力手段を備えたことを特徴とするものである。
また、請求項９の発明は、請求項７の移動体通信端末において、前記予約情報更新手段は、前記系列局からの前記予約の放送の情報をサーバから取得し、そのサーバから取得した情報に基づいて前記予約情報を更新することを特徴とするものである。
また、請求項１０の発明は、請求項１乃至４のいずれかの移動体通信端末において、前記チャネル情報設定手段は、同じ放送局からの放送についてアナログ放送とデジタル放送とが存在する場合は、前記デジタル放送のチャネル情報を優先的に設定することを特徴とするものである。
また、請求項１１の発明は、請求項１乃至４のいずれかの移動体通信端末において、前記チャネル情報設定手段は、前記現在位置情報に基づいて、受信中の放送局のアナログ放送と同じ内容のデジタル放送が行われている地域に移動したと判断した場合に、該アナログ放送のチャネル情報を該デジタル放送のチャネル情報で更新し、前記放送受信手段は、前記放送局からの放送として、前記アナログ放送の受信を停止し、前記更新後のチャネル情報に基づいて前記デジタル放送を受信することを特徴とするものである。
また、請求項１２の発明は、請求項１乃至４のいずれかの移動体通信端末において、前記チャネル情報設定手段は、前記現在位置情報に基づいて、受信中の放送局のデジタル放送のサービスエリア外に移動したと判断した場合に、該デジタル放送のチャネル情報を該アナログ放送のチャネル情報で更新し、前記放送受信手段は、前記放送局からの放送として、前記デジタル放送の受信を停止し、前記更新後のチャネル情報に基づいて前記アナログ放送を受信することを特徴とするものである。
【０００７】
なお、上記「移動体通信端末」としては、場所を移動して使用可能な各種通信端末が上げられる。例えば、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
【０００８】
また、上記「チャネル情報」には、少なくとも、放送局から受信する放送のチャネル識別番号又は放送電波の周波数の情報が含まれる。また、上記「放送局」は、テレビの放送局でもいいし、ＡＭやＦＭなどのラジオの放送局でもよい。また、上記「放送局」は、デジタル放送の放送局でもいいし、アナログ放送の放送局でもよい。
【０００９】
また、上記現在位置を取得する位置情報取得手段としては、様々なものを採用することができる。例えば、ＧＰＳ位置情報取得手段、エリア位置情報取得手段、及び施設位置情報取得手段のいずれか一つ又は任意の組み合わせを採用することができる。上記「ＧＰＳ位置情報取得手段」は、全地球測位システム（ＧＰＳ）の人工衛星から電波を受信し該電波の受信結果に基づいてＧＰＳ位置情報を取得するものである。上記「エリア位置情報取得手段」は、移動体通信端末が在圏する通信管理エリアに関するエリア位置情報（例えば移動体通信端末が無線通信する基地局の情報）を取得するものである。上記「施設位置情報取得手段」は、移動体通信端末の利用者の通過又は滞在が可能な施設に設置された通信端末装置との間で通信を行うことにより通信端末装置（例えば駅やコンサート会場の改札装置、店舗のレジ装置、ＩＴＳ（高度交通情報システム）の通信端末装置）から当該施設の位置を特定可能な施設位置情報を取得するものである。この通信は、例えばBluetooth（登録商標）等の近距離公衆無線通信で行われる。
【発明の効果】
【００１０】
本発明によれば、移動体通信端末の現在位置の情報に基づいて、当該移動体通信端末が位置する地域において受信可能な放送局のチャネル情報を取得し、この取得した放送局のチャネル情報をチャネル情報記憶手段に保存して設定する。このように移動体通信端末の場所が移動しても、その移動体通信端末が位置する地域において受信可能な放送局のチャネル情報がチャネル情報記憶手段に予め設定される。この受信チャネル情報記憶手段に予め設定されているチャネル情報に基づき、利用者が選択した放送の受信を開始することできるので、場所を移動しても放送局からの放送の周波数に受信周波数を同調させる操作が不要になる。しかも、放送局を選択して受信を開始する際に、移動体通信端末の現在位置に対応させて受信チャネル情報記憶手段に予め設定したチャネル情報を用いることができるので、利用者が放送局を選択するたびに周波数を検索する場合に比して、放送局の選択からその放送局からの放送受信開始までの時間を短縮することができるという効果がある。
【発明を実施するための最良の形態】
【００１１】
以下、本発明の実施形態を、図面を参照しながら説明する。
図１（ａ）は、移動体通信端末としての携帯電話機２０の外観の一例を示す正面図であり、図１（ｂ）はその背面図である。また、図２は、その携帯電話機２０のハードウェア構成の一例を示す概略構成図である。この携帯電話機２０は、各種制御を行う制御装置、入力装置２０４、出力装置２０５、携帯電話通信網用通信装置２０６及びチューナー装置２０７を備えている。上記制御装置は、システムバス２００、ＣＰＵ２０１、ＲＡＭ２０２、ＲＯＭ２０３等を用いて構成されている。
【００１２】
図２に示すＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、液晶ディスプレイ（ＬＣＤ）からなる表示部２７、通話用スピーカ２８、外部出力用スピーカ２９、イヤホン３０等から構成されている。上記携帯電話通信網用通信装置２０６は、移動体通信ネットワークとしての携帯電話通信網を介して他の携帯電話機と電話をしたり、携帯電話通信網を介してメールやショートメッセージ等の通信を行ったりするためのものである。上記チューナー装置２０７は、放送局から送信される電波放送を選局して受信するためのものである。
【００１３】
図３は、上記携帯電話機２０の主要部を抽出して示したブロック図である。
この携帯電話機２０は、電話の通話手段としての電話通信部２１１、情報送受信手段としてのデータ通信部２１２、操作手段としての操作部２１３、主制御部２１５、放送内容出力手段としての出力部２１６、放送受信手段としてのチューナー部２１７、各種情報の記憶手段としての記憶部２１８等を備えている。
【００１４】
また、上記記憶部２１８は前記ＲＡＭ等で構成され、チューナー部２１７が放送受信時に使用するチャネル情報（例えば、チャネルＩＤや周波数情報）を予め記憶するチャネル情報記憶手段として用いられる。また、記憶部２１８は、複数の地域の位置情報と各地域で受信可能な放送局のチャネル情報とを対応付けて記憶したデータベースに使用したり、放送の受信とその放送の内容の出力及び保存の少なくとも一方とが予約された放送局のチャネル情報を含む予約情報を記憶する予約情報記憶手段として用いたりしてもよい。なお、上記記憶部２１８内のデータベースは、所定のタイミングでサーバにアクセスし最新のチャネル情報をダウンロードして更新するようにしてもよい。
【００１５】
上記電話通信部２１１は、他の携帯電話機や固定電話機と電話通信を行うために、携帯電話通信網の基地局と無線通信を行うものであり、上述のハードウェア構成上の携帯電話通信網用通信装置２０６等に対応する。この電話通信部２１１で電話の着信信号を受信すると、電話の着信が出力部２１６によりユーザーに特定の音、表示、振動等で報知される。この電話の着信が報知された場合は、ユーザーは操作部２１３の通話開始キー２２を押すことで通話を行うことができる。
【００１６】
上記データ通信部２１２は、上記電話通信部２１１と同様に、上述のハードウェア構成上の携帯電話通信網用通信装置２０６等に対応する。このデータ通信部２１２は、携帯電話通信網を介して他の携帯電話機とメールのやり取りを行ったり、携帯電話通信網からゲートウェイサーバを介してインターネット等の外部通信ネットワークに接続し、インターネット上での電子メールのやり取りやＷＥＢページの閲覧等を行ったりするためのものである。また、データ通信部２１２は、携帯電話通信網等に設置されたサーバにアクセスし、そのサーバから各種情報を取得する手段としても用いることができる。例えば、複数の地域の位置情報と各地域で受信可能な放送局のチャネル情報とを対応付けて記憶したデータベースを有するサーバから、現在位置に応じたチャネル情報を取得する受信チャネル取得手段として用いることができる。
【００１７】
上記操作部２１３は、ユーザーが操作可能な上述のテンキー２１、通話開始キー２２、終話キー２３等で構成されている。この操作部２１３を操作することにより、ユーザーは、電話着信の際に通話の開始及び終了を行ったり、携帯電話機２０の各種設定や動作モードを選択したり、受信する放送局を選択したりすることができる。
【００１８】
上記主制御部２１５は、上記電話通信部２１１、データ通信部２１２、操作部２１３、出力部２１６、チューナー部２１７及び記憶部２１８を制御するものであり、上述のシステムバス２００、ＣＰＵ２０１やＲＡＭ２０２等で構成されている。この主制御部２１５は、上記電話通信部２１１や上記データ通信部２１２等を制御するための通信制御用プログラムやユーザインターフェースを実行する。
【００１９】
また、主制御部２１５は、各種アプリケーションプログラムを実行可能なアプリケーションプログラム実行手段として機能する。例えば、主制御部２１５は、上記チューナー部２１７を制御するためのラジオアプリケーションプログラムを実行することで、テレビやラジオの放送局から送信される放送を聴くことを可能にする。また、放送受信のアプリケーションプログラムには、チャネル情報や番組情報等の放送関連情報を提供するサーバとの通信を制御するための通信プログラムを備えている。この通信プログラムを実行することにより、主制御部２１５は、携帯電話機の現在位置の情報に基づいて、その携帯電話機が位置する地域において受信可能な放送局のチャネル情報を取得するサーバから取得するチャネル情報取得手段としても機能する。
【００２０】
また、携帯電話機内の記憶部２１８に、複数の地域の位置情報と各地域で受信可能な放送局のチャネル情報とを対応付けて記憶したデータベースが構築されている場合は、上記主制御部２１５は、携帯電話機２０の現在位置の情報に基づいて記憶部２１８のデータベースを検索し、携帯電話機２０が位置する地域において受信可能な放送局のチャネル情報を取得するチャネル情報取得手段としても機能する。
【００２１】
また、上記主制御部２１５は、上記取得した放送局のチャネル情報をチャネル情報記憶手段としての記憶部２１８に保存して設定するチャネル情報設定手段としても機能する。
【００２２】
上記出力部２１６は、表示部としてのＬＣＤ２７、通話用スピーカ２８、外部出力用スピーカ２９及びイヤホン３０、並びに外部出力用スピーカ２９から出力される音量を調節するための音量調節手段である音量調節部等からなる出力装置２０５等で構成されている。この出力部２１６は、上記チューナー部２１７で受信した放送の画像や音声を出力する放送内容出力手段として用いられる。また、出力部２１６は、上記データ通信部２１２で受信したショートメッセージやメールの内容を上記主制御部２１５の制御の下、ＬＣＤ２７に表示する。また、出力部２１６のＬＣＤ２７は、上記電話通信部２１１で電話を着信した旨をユーザーに報知するときに用いられる。また、上記データ通信部２１２でショートメッセージを着信した旨や情報提供サーバからの情報を着信した旨をユーザーに報知するときにも用いられる。具体的には、これらの着信を受けると、主制御部２１５により、出力部２１６のＬＣＤ２７に着信報知画像を表示したり、外部出力用スピーカ２９から着信音を出力させたりする。
【００２３】
また、出力部２１６は、携帯電話機本体外部に露出したイヤホン端子を備えている。イヤホン３０は、このイヤホン端子に対して着脱自在に構成されている。そして、出力部２１６は、このイヤホン３０から出力される音量を調節するためのイヤホン音量調節部（イヤホン音量調節部）を有し、このイヤホン音量調節部は、放送用音量調節部及び一般音量調節部とは独立して主制御部２１５によって独立に制御される。
【００２４】
上記チューナー部２１７は、上述のハードウェア構成上のチューナー装置２０７や放送受信用アンテナ等に対応する。このチューナー部２１７は、放送局から送信される放送電波のうち、主制御部２１５から指示された周波数の電波を選択的に受波し、その電波放送を受信する一般的なテレビやラジオのチューナーとしての機能を有する。このチューナー部２１７で受信した放送の内容は、出力部２１６のスピーカやディスプレイへ直接伝送されて出力される。また、チューナー部２１７で受信した放送の内容は、出力部２１６のイヤホン３０からも出力することができる。
【００２５】
また、上記主制御部２１５は電話通信部２１１やデータ通信部２１２を制御することにより、移動体通信端末の現在位置の情報としてのエリア位置情報を取得する位置情報取得手段として機能する。このエリア情報は、携帯電話機２０が在圏する通信管理エリアに関するエリア位置情報であり、携帯電話通信網側にある位置登録サーバや情報提供サーバから受信して取得される。このエリア位置情報としては、基地局が管轄するセルを識別するためのセルＩＤ、基地局の住所、基地局の識別情報等が挙げられる。
【００２６】
また、上記位置情報取得手段は、ＧＰＳ位置情報や施設位置情報を取得するように構成してもよい。ＧＰＳ位置情報は、携帯電話機２０が位置する現在位置を示すＧＰＳ位置情報（緯度、経度、高度）であり、携帯電話機２０がＧＰＳ用の人工衛星（以下、「ＧＰＳ衛星」という。）から受信したＧＰＳ信号に基づいて算出される。この場合はＧＰＳ信号を受信するＧＰＳ受信部が設けられる。また、上記施設位置情報は、利用者の通過又は滞在が可能な駅の改札等の各種施設の位置を特定可能な施設位置情報である。この施設位置情報は、利用者が施設を通過したり施設に滞在したりしたときに、その施設に設置された利用検知用の通信端末装置と携帯電話機２０との間で通信を行うことによって取得することができる。例えば、通信端末装置が駅の改札ゲート装置の場合、利用者が改札ゲート装置に近づくこと又は利用者が携帯電話機２０を改札ゲート装置の通信アンテナ部にかざすこと等により、利用者の携帯電話機２０が、この改札ゲート装置の通信アンテナ部と通信可能な範囲内に位置すると、改札ゲート装置と携帯電話機２０との間の双方向の通信により鉄道利用のための認証が実行され、利用者は改札を通過することができる。この通信により、携帯電話機２０は、どの駅の改札から入ったかあるいはどの駅の改札から出たかを示す施設位置情報を取得することができる。上記施設の通信端末装置としては、改札装置のほか、店舗のレジ装置やＩＴＳ（高度交通情報システム）の通信端末装置もある。
【００２７】
なお、上記位置情報取得手段を複数種類備えている場合は、携帯電話機２０が位置する場所に応じて最適な位置情報取得手段を自動選択し、携帯電話機２０の現在位置をより正確且つ確実に取得できるようにしてもよい。例えば、通常はＧＰＳ位置情報を取得するように制御し、ＧＰＳ位置情報が受信できないビルの中の場合には、基地局との通信によるエリア位置情報を取得するように制御してもよい。また、上記施設位置情報を利用可能な場合は、その情報を優先的に使用するように制御してもよい。
【００２８】
図４は、放送システムの全体構成を示すブロック図である。図４に示すように、放送システムは、携帯電話機２０等に向けて放送を放送する放送局３０と、携帯電話機２０と無線接続してデータの通信を行う基地局８０と、携帯電話機２０に放送局の周波数等のチャネル情報や番組情報などの放送関連情報を提供する放送情報提供サーバ７０とを備えている。さらに、放送システムは、携帯電話機２０が位置する位置情報や地域情報等を携帯電話機２０に一方的に送信する情報配信サーバ５０を備えている。また、放送情報提供サーバ７０のデータベース７４に格納されている放送関連情報を更新する放送局サーバ６０を備えている。この放送局サーバ６０は、放送局３０内に設けてもいいし、放送局３０の外側で放送情報提供サーバ７０にアクセス可能な箇所に設けてもよい。情報配信サーバ５０からの位置情報を含む配信情報や、放送情報提供サーバ７０からの放送関連情報は、基地局８０を介して携帯電話機２０に送信されるようになっている。
【００２９】
放送情報提供サーバ７０は、携帯電話機２０からの要求に応答する応答部７１と、各放送局の放送関連情報を保存するデータベース７４とを有している。また、放送情報提供サーバ７０は、携帯電話機２０から受信した位置情報に基づいて、携帯電話機２０が位置する地域において受信可能な放送局のチャネル情報や番組情報などの放送関連情報をデータベース７４から検索する検索部７３と、検索部７３に現在時刻を提供する時刻部７２とを有している。
【００３０】
上記データベース７４には、図５に示すように、放送局テーブルが格納されており、放送局テーブルには、放送関連情報として、例えば、受信地域、位置情報、送信電波の周波数情報、放送局情報等が互いに関連付けられて格納されている。なお、上記周波数情報に代えて又は加えて、放送の送信チャネルに予め設定されているチャネル識別番号を格納しておいてもよい。また、放送局テーブルには、番組情報、放送日時などを一緒に保持していてもよい。
【００３１】
放送局サーバ６０は、上記放送情報提供サーバ７０にアクセスし、データベース７４内を構成する図５に示す自局の放送局テーブルを最新情報に変更することができる。
【００３２】
情報配信サーバ５０は、携帯電話通信網４０及び基地局８０を介して、所定の通信チャンネルによって各基地局８０の位置情報、地域情報、コンテンツ情報等の各種情報を配信する。このように各種情報が送信される通信チャンネルについて、携帯電話機２０の主制御部１２５が所定のタイミングで受信動作を実行することにより、その通信チャンネルで送信されている情報を取得し情報記憶手段としての内部メモリーに保存することができる。各通信チャンネルに対する受信動作は、予め初期設定で設定されているタイミングや、利用者が設定したタイミングで実行することができる。この受信動作は定期的に実行される。
【００３３】
例えば、基地局ＡのセルＡの範囲に位置する携帯電話機２０Ａには基地局Ａの位置情報が、基地局ＢのセルＢの範囲に位置する携帯電話機２０Ｂには基地局Ｂの位置情報が、基地局ＣのセルＣの範囲に位置する携帯電話機２０Ｃ、２０Ｄにはそれぞれ基地局Ｃの位置情報が送信される。携帯電話機２０の主制御部１２５は、所定のタイミングで受信動作を実行して位置情報を取得し、位置情報記憶手段としての内部メモリーに保存する。携帯電話機２０の位置情報の受信は、例えば、電源ＯＮ時に、定期的に、及び携帯電話機２０が位置するセルが変わるたびに行われる。
【００３４】
図６は、上記構成の携帯電話機の現在位置に基づいた受信チャネル情報のプリセット処理の一例を示すフローチャートである。この例において、携帯電話機２０は、所定のタイミングで現在位置の情報を取得する（Ｓ１）。次に、携帯電話機２０は、上記取得した現在位置に基づいて、携帯電話機２０内のデータベース又は情報提供サーバ７０から、携帯電話機２０が位置する地域において受信可能な放送局のチャネル情報を取得する（Ｓ２）。次に、携帯電話機２０は、記憶部２１８内の所定の記憶領域に、上記取得したチャネル情報を保存して設定（プリセット）する（Ｓ３）。利用者が携帯電話機２０を操作して放送局を選択したとき、上記記憶部２１８内の所定の記憶領域にプリセットされたチャネル情報が用いてチューナー部２１７による放送の受信を開始できるので、場所を移動しても放送局からの放送の周波数に受信周波数を同調させる操作が不要になる。しかも、利用者が放送局を選択して受信を開始する際に、携帯電話機２０の現在位置に対応させてプリセットしたチャネル情報を用いることができるので、利用者が放送局を選択するたびに周波数を検索する場合に比して、放送局の選択からその放送局からの放送受信開始までの時間を短縮することができる。
【００３５】
図７は、携帯電話機の位置が変化した時の受信チャネル情報のプリセット処理の一例を示すフローチャートである。この例では、携帯電話機２０は、現在位置の情報を取得した後（Ｓ１）、携帯電話機２０の現在位置が変更したか否かを判断する（Ｓ２）。そして、携帯電話機２０は、現在位置に変更があった場合にのみ、上記取得した現在位置に基づいて、携帯電話機２０内のデータベース又は情報提供サーバ７０から、携帯電話機２０が位置する地域において受信可能な放送局のチャネル情報を取得する（Ｓ３）。次に、携帯電話機２０は、記憶部２１８内の所定の記憶領域に保存されているチャンネル情報を、上記取得したチャネル情報で更新する（Ｓ４）。これにより、受信可能な放送局のチャネル情報の異なる地域に携帯電話機２０が移動する場合でも、上記記憶部２１８内の所定の記憶領域にプリセットされたチャネル情報が、その移動先の地域において受信可能な放送局のチャネル情報に自動更新される。
【００３６】
図８は、携帯電話機の位置が変化した時の受信チャネル情報のプリセット処理の一例を示すフローチャートである。この例では、上記図７の場合と同様にチャネル情報を取得した後（Ｓ１〜Ｓ３）、記憶部２１８内の所定の記憶領域に設定されている設定済みのチャネル情報と、新規取得したチャネル情報とが異なるか否かを判断する（Ｓ４）。そして、携帯電話機２０は、両者のチャネル情報が互いに異なる場合にのみ、記憶部２１８内の所定の記憶領域に保存されているチャンネル情報を、上記新規取得したチャネル情報で更新する（Ｓ５）。これにより、無駄なチャンネル情報の更新処理を回避できる。
【００３７】
なお、上記図７や図８の例において、チャンネル情報の更新前に、チャンネル情報が設定されているある放送局からの放送を受信していた場合、その受信中の放送局のチャンネル情報として、受信中の放送と同じ内容を放送し且つ移動後の地域で受信可能な系列局のチャネル情報を設定してもよい。この場合は、携帯電話機２０が他の地域に移動した場合でも、受信中の放送をそのまま続けて受信することができる。
【００３８】
図９は、放送の視聴や録音・録画を予約設定している場合の処理例を示すフローチャートである。この例では、記憶部２１８内の所定の記憶領域に設定されているチャネル情報の更新処理を行った後（Ｓ１〜Ｓ４）、そのチャネル情報が変更になった放送について録画などの予約設定がなされている場合は、その予約済みの放送局のチャネル情報を系列局のチャネル情報で更新する（Ｓ６）。この場合は、携帯電話機の移動によるチャネル情報の変更にかかわらず、上記予約設定していた録画等を正常に行うことができる。
【００３９】
なお、図９の処理例において、上記予約済みの放送局に対応する系列局がない場合、系列局からの上記予約の放送がない場合、又は系列局からの上記予約の放送の時間が変更になる場合には、その旨を利用者に知らせるための警告の画像をディスプレイに表示したり、警告の音を出力したりしてもよい。この場合は、上記予約設定していた録画等を正常に行うことができないため、上記警告により、利用者に予約設定の解除や再設定を促すことができる。
【００４０】
また、上記予約設定していた録画等を正常に行う上記系列局からの予約の放送の情報を情報提供サーバ７０から取得し、そのサーバ７０から取得した情報に基づいて上記予約情報を更新するようにしてもよい。
【００４１】
また、上記実施形態において、携帯電話機２０が例えばテレビ放送としてアナログ放送とデジタル放送の両方を受信可能なチューナー部２１７を備えている場合は、画質や音質に優れ将来にわたって放送サービスが継続されるデジタル放送のチャネル情報を優先的にプリセットするようにしてもよい。すなわち、同一地域において同じ放送局からの放送についてアナログ放送とデジタル放送とが存在する場合は、その地域おけるチャネル情報として、デジタル放送のチャネル情報を優先的にプリセットしてもよい。
【００４２】
また、上記実施形態において、放送局のアナログ放送を受信している際に、現在位置情報に基づいて、受信中の放送局のアナログ放送と同じ内容のデジタル放送が行われている地域に移動したと判断した場合には、その放送局のアナログ放送のチャネル情報を、画質及び音質に優れたデジタル放送のチャネル情報で更新してもよい。この場合、携帯電話機２０のチューナー部２１７は、受信対象の放送局からの放送として、アナログ放送の受信を停止し、上記更新後のチャネル情報に基づいて同じ放送局のデジタル放送を受信するように制御される。
また、上記実施形態において、放送局のデジタル放送を受信している際に、現在位置情報に基づいて、受信中の放送局のデジタル放送のサービスエリア外に移動したと判断した場合には、その放送局のデジタル放送のチャネル情報をアナログ放送のチャネル情報で更新してもよい。この場合、携帯電話機２０のチューナー部２１７は、受信対象の放送局からの放送として、デジタル放送の受信を停止し、上記更新後のチャネル情報に基づいて同じ放送局のアナログ放送を受信するように制御される。
【００４３】
また、上記図６〜図９の例において、携帯電話機２０の現在位置の取得タイミングは、チューナー部２１７で受信している放送の送信電波の電界強度が予め設定した基準強度以下になったタイミングに設定してもよい。この場合は、受信中の放送のサービスエリアの周端部まで携帯電話機２０が移動し受信可能な放送局のチャネル情報が変わっている可能性が高い。このようなタイミングで携帯電話機２０の現在位置を取得することにより、チャネル情報更新のための現在位置の取得処理を効率的に行うことができる。
【図面の簡単な説明】
【００４４】
【図１】（ａ）は本発明の実施形態に係る携帯電話機の外観を示す正面図。（ｂ）はその背面図。
【図２】同携帯電話機のハードウェア構成を示す概略構成図。
【図３】同携帯電話機の主要部を抽出して示したブロック図。
【図４】放送情報提供システムの概略ブロック図。
【図５】情報提供サーバのデータベース内にある放送局テーブルの一例を示す図。
【図６】携帯電話機の現在位置に基づいた受信チャネル情報のプリセット処理の一例を示すフローチャート。
【図７】受信チャネル情報のプリセット処理の他の一例を示すフローチャート。
【図８】受信チャネル情報のプリセット処理の更に他の一例を示すフローチャート。
【図９】放送の視聴や録音・録画を予約設定している場合の処理例を示すフローチャート。
【符号の説明】
【００４５】
２０  携帯電話機
２７  ＬＣＤ（表示部）
２９  外部出力用スピーカ
４０  移動体通信網（携帯電話通信網）
５０  情報配信サーバ
６０  放送局サーバ
７０  放送情報提供サーバ
８０  基地局
２１１  電話通信部
２１２  データ通信部
２１３  操作部
２１５  主制御部
２１６  出力部
２１７  チューナー部
２１８  記憶部
【図１】
2007318365.tif 000003
【図２】
2007318365.tif 000004
【図３】
2007318365.tif 000005
【図４】
2007318365.tif 000006
【図５】
2007318365.tif 000007
【図６】
2007318365.tif 000008
【図７】
2007318365.tif 000009
【図８】
2007318365.tif 000010
【図９】
2007318365.tif 000011